(57)【要約】【課題】利用者ごとに計測結果を特定しやすくすること。【解決手段】情報管理装置１００は、計測機ｍ１の計測結果ｒ１と計測時点ｔ１とを対応付けた計測情報を取得する。情報管理装置１００は、端末装置ｗ１の受信時点ｔ１と端末装置ｗ１の識別情報「ｗ１」とを対応付けた端末情報を取得する。情報管理装置１００は、取得した計測情報と端末情報とに基づいて、計測時点ｔ１と受信時点ｔ１との組み合わせが所定の条件を満たす場合に、その計測時点ｔ１に対応付けられた計測結果ｒ１と、その受信時点ｔ１に対応付けられた端末装置ｗ１の識別情報「ｗ１」とを対応付けて出力する。【選択図】図１
2018157323.tif 000002
【特許請求の範囲】
【請求項１】
コンピュータに、
計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
処理を実行させることを特徴とする情報管理プログラム。
【請求項２】
前記計測情報は、さらに前記計測機の識別情報を対応付け、
前記端末情報は、さらに前記発信機の識別情報を対応付け、
前記出力する処理は、
前記計測機の識別情報と前記発信機の識別情報との組み合わせが第２の条件を満たし、かつ、前記計測時点と前記受信時点との組み合わせが前記所定の条件を満たす場合に、前記計測結果と前記端末装置の識別情報とを対応付けて出力する、ことを特徴とする請求項１に記載の情報管理プログラム。
【請求項３】
前記端末情報は、さらに前記端末装置における前記電波の受信強度を対応付け、
前記出力する処理は、
前記計測時点と前記受信時点との組み合わせが前記所定の条件を満たし、前記電波の受信強度が第３の条件を満たす場合に、前記計測結果と前記端末装置の識別情報とを対応付けて出力する、ことを特徴とする請求項１または２に記載の情報管理プログラム。
【請求項４】
前記受信時点は、前記端末装置における前記電波の受信強度が閾値以上である期間によって示され、
前記所定の条件は、前記計測時点が前記受信時点を示す期間に含まれることである、ことを特徴とする請求項１〜３のいずれか一つに記載の情報管理プログラム。
【請求項５】
コンピュータが、
計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
処理を実行することを特徴とする情報管理方法。
【請求項６】
計測機と、前記計測機の近傍の発信機と、前記計測機の利用者に対応する端末装置と、情報管理装置とを含む情報管理システムであって、
前記計測機は、前記計測機によって計測された計測結果と計測時点とを対応付けた計測情報を、前記情報管理装置に送信し、
前記発信機は、電波を発信し、
前記端末装置は、前記端末装置によって前記電波が受信された受信時点と、前記端末装置の識別情報とを対応付けた端末情報を、前記情報管理装置に送信し、
前記情報管理装置は、前記計測情報と前記端末情報とを取得し、取得した前記計測情報と前記端末情報とに基づいて、前記計測時点と前記受信時点との組み合わせが所定の条件を満たす場合に、前記計測結果と前記端末装置の識別情報とを対応付けて出力する、ことを特徴とする情報管理システム。
【請求項７】
計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
制御部を有することを特徴とする情報管理装置。
【発明の詳細な説明】
【技術分野】
【０００１】
本発明は、情報管理プログラム、情報管理方法、および情報管理システムに関する。
【背景技術】
【０００２】
従来、利用者の体温、血圧、心拍数、体重、体脂肪率、体組成などの健康情報を計測する計測機がある。計測機は、共用されることがあり、複数の利用者の健康情報を計測することがある。
【０００３】
先行技術としては、例えば、利用制限の指定があるサービス利用にかかるデータを受信した場合、利用者に対して確認を求め、承諾を得られた場合にのみ上記サービスプロバイダに受信したデータを振り分けるものがある。また、例えば、入力された識別情報に対応する識別情報取得時刻を抽出し、抽出した識別情報取得時刻に近接する環境情報取得時刻があるときは、環境情報取得時刻に対応する環境情報を抽出する技術がある。
【先行技術文献】
【特許文献】
【０００４】
【特許文献１】特開２００６−４８４０４号公報
【特許文献２】特開２０１１−２９７４号公報
【発明の概要】
【発明が解決しようとする課題】
【０００５】
しかしながら、従来技術では、計測機が共用される場合、その計測機が計測した健康情報が誰の健康情報であるかを特定することが難しい。例えば、計測機は、計測中の利用者が誰であるかを識別することができず、計測した健康情報が誰の健康情報であるかを特定することができない。
【０００６】
１つの側面では、本発明は、利用者ごとの計測結果を特定しやすくすることができる情報管理プログラム、情報管理方法、および情報管理システムを提供することを目的とする。
【課題を解決するための手段】
【０００７】
１つの実施態様によれば、計測機によって計測された計測結果と計測時点とを対応付けた計測情報を取得し、前記計測機の利用者に対応する端末装置によって、前記計測機の近傍の発信機によって発信された電波が受信された受信時点と、前記端末装置の識別情報とを対応付けた端末情報を取得し、取得した前記計測情報と前記端末情報とに基づいて、前記計測時点と前記受信時点との組み合わせが所定の条件を満たす場合に、前記計測結果と前記端末装置の識別情報とを対応付けて出力する情報管理プログラムが提案される。
【発明の効果】
【０００８】
本発明の一態様によれば、利用者ごとの計測結果を特定しやすくすることができるという効果を奏する。
【図面の簡単な説明】
【０００９】
【図１】図１は、実施の形態にかかる情報管理方法の一実施例を示す説明図である。
【図２】図２は、情報管理システム２００の一例を示す説明図である。
【図３】図３は、情報管理装置１００のハードウェア構成例を示すブロック図である。
【図４】図４は、管理情報テーブル４００のデータ構造例の一例を示す説明図である。
【図５】図５は、計測機２０１のハードウェア構成例を示すブロック図である。
【図６】図６は、計測情報テーブル６００のデータ構造例の一例を示す説明図である。
【図７】図７は、発信機２０２のハードウェア構成例を示すブロック図である。
【図８】図８は、信号データ８００のデータ構造例の一例を示す説明図である。
【図９】図９は、端末装置２０３のハードウェア構成例を示すブロック図である。
【図１０】図１０は、一覧情報テーブル１０００のデータ構造例の一例を示す説明図である。
【図１１】図１１は、端末情報テーブル１１００のデータ構造例の一例を示す説明図である。
【図１２】図１２は、中継装置２０４のハードウェア構成例を示すブロック図である。
【図１３】図１３は、情報管理装置１００の機能的構成例を示すブロック図である。
【図１４】図１４は、情報管理装置１００の具体的な動作例を示す説明図である。
【図１５】図１５は、端末装置２０３が電波を受信したと判定する一例を示す説明図である。
【図１６】図１６は、マッチング処理手順の一例を示すフローチャートである。
【図１７】図１７は、電波受信処理手順の一例を示すフローチャートである。
【発明を実施するための形態】
【００１０】
以下に、図面を参照して、本発明にかかる情報管理プログラム、情報管理方法、および情報管理システムの実施の形態を詳細に説明する。
【００１１】
（実施の形態にかかる情報管理方法の一実施例）
図１は、実施の形態にかかる情報管理方法の一実施例を示す説明図である。図１において、情報管理装置１００は、複数の利用者に共用される可能性がある計測機の計測結果を管理するコンピュータである。
【００１２】
計測機は、例えば、その計測機の利用者について、体温、血圧、心拍数、体重、体脂肪率、体組成などの健康情報を計測するコンピュータである。体組成は、体重、体脂肪率、筋肉量、内臓脂肪などの組み合わせである。計測機は、例えば、血圧計や体組成計などである。計測機は、例えば、住宅に設けられ、その住宅の住民によって共用される。計測機は、医療機関に設けられてもよい。
【００１３】
ここで、計測機が共用される場合、その計測機の計測結果が誰の計測結果であるかを特定することが難しい。例えば、計測機は、計測中の利用者が誰であるかを識別することができない場合がある。このため、利用者ごとに計測結果をまとめることができず、利用者ごとに健康状態を把握することができず、利用者ごとに健康管理を行うことができない。
【００１４】
これに対し、利用者が、計測機の計測結果が得られる都度、人手で、自身の計測結果を記録し、自身の計測結果をまとめておく場合が考えられる。
【００１５】
しかしながら、この場合、利用者に人手で計測結果を記録させることになり、利用者の作業負担の増加を招き、計測機の利便性の低下を招いてしまう可能性がある。
【００１６】
また、これに対し、計測機が、計測中の利用者を識別するための物理スイッチを有し、利用者が、計測直前にその物理スイッチを操作しておき、計測機が、その物理スイッチの操作に基づいて、計測中の利用者を識別する場合が考えられる。
【００１７】
しかしながら、この場合、利用者に物理スイッチを操作させることになり、利用者の作業負担の増加を招き、計測機の利便性の低下を招いてしまう可能性がある。また、利用者が物理スイッチを操作し忘れると、計測機は、実際に計測中の利用者とは異なる利用者を、計測中の利用者として識別してしまう可能性がある。また、物理スイッチにより計測機が識別可能な利用者の数には上限があり、その上限を超える数の利用者が計測機を利用してしまうと、計測機は、計測中の利用者が誰であるかを識別することができない。
【００１８】
また、これに対し、計測機が、計測結果に基づいて、その計測結果を計測した利用者が誰であるかを識別し、その計測結果が誰の計測結果であるかを特定する場合が考えられる。例えば、体組成計が、予め設定された利用者の体重や体脂肪率などの特徴と、計測結果に含まれる体重や体脂肪率などの特徴を照合し、その計測結果を計測した利用者が誰であるかを識別する場合が考えられる。
【００１９】
しかしながら、この場合、計測機は、計測結果を計測した利用者が誰であるかを識別することができないことがある。例えば、体組成計は、その体組成計と接する利用者の足裏などが乾燥していると、体脂肪率を計測することができず、体重や体脂肪率に基づいて利用者が誰であるかを識別することができないことがある。また、体組成計は、腹膜透析患者やアスリートなどの体脂肪率を計測することができず、体重や体脂肪率に基づいて利用者が誰であるかを識別することができないことがある。
【００２０】
また、計測機は、計測中の利用者が誰であるかを識別する機能を実現することが難しい場合がある。以下の説明では、利用者が誰であるかを識別する機能を「個人識別機能」と表記する場合がある。例えば、体温計は、比較的小型であり、個人識別機能を実現する部品を、その体温計の内部に搭載することが難しい場合がある。また、計測機は、製造された後では、個人識別機能を実現する部品を、その計測器の内部に追加することが難しい場合がある。
【００２１】
そこで、本実施の形態では、計測機の近傍に発信機を設け、計測機の計測結果と、計測機の利用者に対応する端末装置における、その発信機からの電波の受信結果とを照合することにより、利用者ごとに計測結果を特定しやすくする情報管理方法について説明する。
【００２２】
図１の例は、利用者Ａと利用者Ｂとによって計測機ｍ１が共用される場合の例である。図１の例では、計測機ｍ１は、体重計である。利用者Ａは、端末装置ｗ１を有する。利用者Ｂは、端末装置ｗ２を有する。また、発信機ｂ１は、計測機ｍ１に取り付けられ、電波を発信する。
【００２３】
まず、時点ｔ１において、利用者Ａが、計測機ｍ１によって体重を計測したとする。計測機ｍ１は、体重を計測すると、計測結果ｒ１と、計測時点ｔ１とを対応付けた計測情報を記憶しておく。ここで、計測機ｍ１は、体重を測定した対象が、利用者Ａであることを識別することができなくてもよい。
【００２４】
また、端末装置ｗ１は、利用者Ａが計測機ｍ１に近づいたため、計測機ｍ１に取り付けられた発信機ｂ１によって発信された電波を受信することができる。端末装置ｗ１は、電波を受信すると、その電波が受信された受信時点ｔ１を記憶する。ここで、受信時点ｔ１は、端末装置ｗ１における電波の受信強度が閾値以上になった受信時刻によって示される。また、受信時点ｔ１は、端末装置ｗ１における電波の受信強度が閾値以上であった受信期間によって示されてもよい。
【００２５】
ここで、受信時点ｔ１は、端末装置ｗ１が発信機ｂ１に近づいた時点を示し、その端末装置ｗ１に対応する利用者Ａが、その発信機ｂ１の近傍で、何らかの計測機によって計測された可能性がある時点を示している。
【００２６】
その後、時点ｔ２において、利用者Ｂが、計測機ｍ１によって体重を計測したとする。計測機ｍ１は、体重を計測すると、計測結果ｒ２と、計測時点ｔ２とを対応付けた計測情報を記憶しておく。ここで、計測機ｍ１は、体重を測定した対象が、利用者Ｂであることを識別することができなくてもよい。
【００２７】
また、端末装置ｗ２は、利用者Ｂが計測機ｍ１に近づいたため、計測機ｍ１に取り付けられた発信機ｂ２によって発信された電波を受信することができる。端末装置ｗ２は、電波を受信すると、その電波が受信された受信時点ｔ２を記憶する。ここで、受信時点ｔ２は、端末装置ｗ２における電波の受信強度が閾値以上であった受信期間によって示されてもよい。
【００２８】
ここで、受信時点ｔ２は、端末装置ｗ２が発信機ｂ２に近づいた時点を示し、その端末装置ｗ２に対応する利用者Ｂが、その発信機ｂ２の近傍で、何らかの計測機によって計測された可能性がある時点を示している。
【００２９】
（１−１）情報管理装置１００は、計測情報を取得する。情報管理装置１００は、例えば、計測機ｍ１に、計測情報の問い合わせを送信する。計測機ｍ１は、その問い合わせに応じて、計測結果ｒ１と計測時点ｔ１とを対応付けた計測情報と、計測結果ｒ２と計測時点ｔ２とを対応付けた計測情報とを、情報管理装置１００に送信する。情報管理装置１００は、計測結果ｒ１と計測時点ｔ１とを対応付けた計測情報と、計測結果ｒ２と計測時点ｔ２とを対応付けた計測情報とを、計測機ｍ１から受信する。
【００３０】
（１−２）情報管理装置１００は、端末情報を取得する。端末情報は、端末装置によって電波が受信された受信時点と、その端末装置の識別情報とを対応付けた対応情報である。情報管理装置１００は、例えば、端末装置ｗ１に、端末情報の問い合わせを送信する。端末装置ｗ１は、その問い合わせに応じて、受信時点ｔ１と端末装置ｗ１の識別情報「ｗ１」とを対応付けた端末情報を作成し、情報管理装置１００に送信する。情報管理装置１００は、受信時点ｔ１と端末装置ｗ１の識別情報「ｗ１」とを対応付けた端末情報を、端末装置ｗ１から受信する。
【００３１】
また、情報管理装置１００は、例えば、端末装置ｗ２に、端末情報の問い合わせを送信する。端末装置ｗ２は、その問い合わせに応じて、受信時点ｔ２と端末装置ｗ２の識別情報「ｗ２」とを対応付けた端末情報を作成し、情報管理装置１００に送信する。情報管理装置１００は、受信時点ｔ２と端末装置ｗ２の識別情報「ｗ２」とを対応付けた端末情報を、端末装置ｗ２から受信する。ここでは、情報管理装置１００が、計測情報と端末情報のうち、計測情報を先に取得する場合について説明したが、これに限らない。例えば、情報管理装置１００が、計測情報と端末情報のうち、端末情報を先に取得する場合があってもよい。
【００３２】
（１−３）情報管理装置１００は、取得した計測情報と端末情報とに基づいて、計測時点と受信時点との組み合わせが所定の条件を満たすか否かを判定する。所定の条件は、例えば、計測時点と受信時点とが一致することである。所定の条件は、例えば、計測時点と受信時点の差分が閾値以下であることであってもよい。
【００３３】
ここで、所定の条件は、受信時点として示された、利用者が何らかの計測機によって計測された可能性がある時点と、計測時点として示された、計測機ｍ１によって誰かが計測された時点とが対応することを意味する。このため、所定の条件を満たす受信時点を含む端末情報の取得元の端末装置に対応する利用者は、その条件を満たす計測時点に、その条件を満たす計測時点を含む計測情報の取得元の計測機ｍ１によって計測された利用者である可能性が大きい。
【００３４】
そして、情報管理装置１００は、計測時点と受信時点との組み合わせが所定の条件を満たす場合に、その計測時点に対応付けられた計測結果と、その受信時点に対応付けられた端末装置の識別情報とを対応付けて出力する。出力形式は、例えば、情報管理装置１００が有する記憶装置への記憶である。
【００３５】
情報管理装置１００は、例えば、計測時点ｔ１と受信時点ｔ１とが一致するため、計測時点ｔ１と受信時点ｔ１との組み合わせが所定の条件を満たすと判定する。情報管理装置１００は、計測時点ｔ１と受信時点ｔ１との組み合わせが所定の条件を満たすため、計測時点ｔ１に対応付けられた計測結果ｒ１と、受信時点ｔ１に対応付けられた端末装置ｗ１の識別情報「ｗ１」とを対応付けて出力する。
【００３６】
また、情報管理装置１００は、例えば、計測時点ｔ２と受信時点ｔ２とが一致するため、計測時点ｔ２と受信時点ｔ２との組み合わせが所定の条件を満たすと判定する。情報管理装置１００は、計測時点ｔ２と受信時点ｔ２との組み合わせが所定の条件を満たすため、計測時点ｔ２に対応付けられた計測結果ｒ２と、受信時点ｔ２に対応付けられた端末装置ｗ２の識別情報「ｗ２」とを対応付けて出力する。これによれば、情報管理装置１００は、端末装置ごとに、その端末装置の識別情報に対応する計測結果を出力することができる。
【００３７】
これにより、情報管理装置１００は、計測機ｍ１の計測結果のうち、いずれかの端末装置を有する利用者の計測結果であると判断される計測結果を、その端末装置の識別情報に対応付けてまとめることができる。このため、情報管理装置１００は、計測機ｍ１を共用する利用者が何人いても、利用者ごとに計測結果をまとめやすくすることができ、利用者ごとに健康状態を把握しやすくすることができる。
【００３８】
また、情報管理装置１００は、利用者が人手で自身の計測結果をまとめなくてもよいようにすることができ、利用者の作業負担の増加を抑制し、計測機ｍ１の利便性の低下を抑制することができる。また、情報管理装置１００は、計測機ｍ１が、計測中の利用者を識別しなくてもよいようにすることができる。
【００３９】
結果として、情報管理装置１００は、例えば、計測機ｍ１が計測中の利用者を識別するための物理スイッチを有する場合であっても、その物理スイッチを利用者が操作しなくてもよいようにすることができる。そして、情報管理装置１００は、利用者の作業負担の増加を抑制し、計測機ｍ１の利便性の低下を抑制することができる。また、情報管理装置１００は、利用者の物理スイッチの操作ミスによる、計測機ｍ１の利用者の識別ミスをなくすことができる。
【００４０】
また、情報管理装置１００は、利用者が腹膜透析患者やアスリートなどであり、計測機ｍ１が計測結果に基づいて、計測した利用者を識別することが困難である場合であっても、利用者ごとに計測結果をまとめやすくすることができる。そして、情報管理装置１００は、計測機ｍ１の利便性の低下を抑制することができる。
【００４１】
また、情報管理装置１００は、計測機ｍ１が、計測中の利用者が誰であるかを識別する機能を実現することが難しい場合であっても、利用者ごとに計測結果をまとめやすくすることができる。そして、情報管理装置１００は、計測機ｍ１の利便性の低下を抑制することができる。また、計測機ｍ１が、計測中の利用者が誰であるかを識別する機能を実現しなくてもよいため、その計測機ｍ１の製造コストの増大化を抑制することができる可能性がある。
【００４２】
ここでは、計測機ｍ１が、計測情報に、その計測機ｍ１の識別情報を含めずに、情報管理装置１００に送信してもよい場合について説明したが、これに限らない。例えば、計測機ｍ１が、計測情報に、その計測機ｍ１の識別情報を含めて、情報管理装置１００に送信する場合があってもよい。
【００４３】
（情報管理システム２００の一例）
次に、図２を用いて、図１に示した情報管理装置１００を適用した、情報管理システム２００の一例について説明する。
【００４４】
図２は、情報管理システム２００の一例を示す説明図である。図２において、情報管理システム２００は、情報管理装置１００と、計測機２０１と、発信機２０２と、端末装置２０３と、中継装置２０４と、利用者２０５とを含む。
【００４５】
以下の説明では、複数の計測機２０１を区別する場合には、それぞれの計測機２０１の符号の末尾に「−ｉ」を付与して区別する。ｉは整数である。同様に、複数の発信機２０２を区別する場合には、それぞれの発信機２０２の符号の末尾に「−ｉ」を付与して区別する。同様に、複数の端末装置２０３を区別する場合には、それぞれの端末装置２０３の符号の末尾に「−ｉ」を付与して区別する。同様に、複数の利用者２０５を区別する場合には、それぞれの利用者２０５の符号の末尾に「−ｉ」を付与して区別する。
【００４６】
情報管理システム２００において、情報管理装置１００と端末装置２０３とは、例えば、有線または無線のネットワーク２１０を介して接続される。また、情報管理装置１００と中継装置２０４とは、例えば、ネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００４７】
情報管理装置１００は、計測機２０１の計測結果を管理するコンピュータである。情報管理装置１００は、例えば、計測機２０１の計測結果を、利用者２０５に対応する端末装置２０３ごとにまとめた管理情報テーブルを作成し、記憶する。管理情報テーブルのデータ構造例は、例えば、図４を用いて後述する。情報管理装置１００は、具体的には、サーバやＰＣ（Ｐｅｒｓｏｎａｌ  Ｃｏｍｐｕｔｅｒ）などである。情報管理装置１００のハードウェア構成例は、例えば、図３を用いて後述する。
【００４８】
計測機２０１は、複数の利用者２０５に共用される可能性があるコンピュータである。計測機２０１は、例えば、住宅に設けられ、その住宅の住民によって共用される。計測機２０１は、例えば、介護施設やデイサービスセンターなどに設けられてもよい。計測機２０１は、例えば、献血所や医療機関に設けられてもよい。
【００４９】
計測機２０１は、その計測機２０１の利用者２０５について、体温、血圧、心拍数、体重、体脂肪率、体組成などの健康情報を計測する。計測機２０１は、計測結果と計測日時とを対応付けた計測情報を作成し、計測情報テーブルに蓄積する。計測情報は、さらに計測機２０１の識別情報を含んでもよい。計測機２０１の識別情報は、例えば、その計測機２０１の種別情報である。計測情報テーブルのデータ構造例は、例えば、図６を用いて後述する。
【００５０】
計測機２０１は、計測情報テーブルに蓄積した計測情報を、中継装置２０４を介して情報管理装置１００に送信する。計測機２０１は、計測情報を、直接情報管理装置１００に送信してもよい。計測機２０１は、具体的には、血圧計や体組成計などである。計測機２０１のハードウェア構成例は、例えば、図５を用いて後述する。
【００５１】
発信機２０２は、計測機２０１の近傍において通信圏内に電波を発信する。電波は、その電波の変調により、信号データを含んでもよい。信号データは、例えば、発信機２０２の識別情報を含む。信号データのデータ構造例は、例えば、図８を用いて後述する。発信機２０２は、例えば、計測機２０１に貼り付けられる。
【００５２】
発信機２０２は、例えば、ＢＬＥ（Ｂｌｕｅｔｏｏｔｈ  Ｌｏｗ  Ｅｎｅｒｇｙ）の形式にしたがって通信圏内に電波を発信する。Ｂｌｕｅｔｏｏｔｈは登録商標である。発信機２０２は、具体的には、その発信機２０２から１ｍ以内にある端末装置２０３が電波を受信可能になるように、その電波の発信電力を調整する。発信機２０２は、具体的には、ビーコンである。発信機２０２のハードウェア構成例は、例えば、図７を用いて後述する。
【００５３】
端末装置２０３は、利用者２０５に有されるコンピュータである。端末装置２０３は、交代で複数の利用者２０５に有されてもよい。端末装置２０３は、交代で複数の利用者２０５に有される場合、その端末装置２０３を現在有している利用者２０５を識別し、利用者２０５ごとに、その端末装置２０３の識別情報を使い分けるようにする。
【００５４】
端末装置２０３は、発信機２０２の電波を受信する。端末装置２０３は、受信した電波に基づいて、その電波を受信した受信時点と、その端末装置２０３の識別情報とを対応付けた端末情報を作成し、端末情報テーブルに記憶する。端末装置２０３の識別情報は、例えば、その端末装置２０３の製造時に、その端末装置２０３に割り振られた製造番号などの端末ＩＤである。端末装置２０３の識別情報は、その端末装置２０３を有する利用者２０５の識別情報であってもよい。端末情報は、さらに発信機２０２の識別情報を含んでもよい。発信機２０２の識別情報は、例えば、その発信機２０２の製造時に、その発信機２０２に割り振られた製造番号である。発信機２０２の識別情報は、例えば、その発信機２０２が貼り付けられた計測機２０１の種別情報であってもよい。端末情報テーブルのデータ構造例は、例えば、図１１を用いて後述する。
【００５５】
端末装置２０３は、端末情報テーブルに記憶した端末情報を、情報管理装置１００に送信する。端末装置２０３は、端末情報テーブルを用いず、端末情報を作成する都度、その端末情報を、情報管理装置１００に送信するようにしてもよい。端末装置２０３は、具体的には、ウェアラブル端末、タブレット端末、スマートフォンなどである。端末装置２０３のハードウェア構成例は、例えば、図９を用いて後述する。
【００５６】
中継装置２０４は、計測情報を計測機２０１から受信し、情報管理装置１００に転送するコンピュータである。中継装置２０４は、例えば、ＰＣ、タブレット端末、スマートフォンなどである。情報管理システム２００は、計測情報を計測機２０１が直接情報管理装置１００に送信可能な場合には、中継装置２０４を含まなくてもよい。
【００５７】
利用者２０５は、計測機２０１を利用し、端末装置２０３を有する。利用者２０５は、例えば、住宅の住人である。利用者２０５は、例えば、介護施設やデイサービスセンターなどを訪れた訪問者であってもよい。利用者２０５は、例えば、献血所や医療機関などを訪れた訪問者であってもよい。
【００５８】
情報管理システム２００は、例えば、住宅に設けられた計測機２０１の計測結果を、利用者２０５に対応する端末装置２０３ごとに管理する場合に対して適用される。情報管理システム２００は、例えば、医療機関に設けられた計測機２０１の計測結果を、利用者２０５に対応する端末装置２０３ごとに管理する場合に対して適用されてもよい。
【００５９】
ここでは、情報管理装置１００が、計測機２０１、端末装置２０３、および中継装置２０４とは異なる装置である場合について説明したが、これに限らない。例えば、情報管理装置１００が、いずれかの計測機２０１と一体である場合があってもよい。また、情報管理装置１００が、いずれかの端末装置２０３と一体である場合があってもよい。また、情報管理装置１００が、中継装置２０４と一体である場合があってもよい。
【００６０】
ここでは、計測機２０１が、発信機２０２とは異なる装置である場合について説明したが、これに限らない。例えば、計測機２０１が、発信機２０２を、その計測機２０１の内部に含む場合があってもよい。
【００６１】
（情報管理装置１００のハードウェア構成例）
次に、図３を用いて、情報管理装置１００のハードウェア構成例について説明する。
【００６２】
図３は、情報管理装置１００のハードウェア構成例を示すブロック図である。図３において、情報管理装置１００は、ＣＰＵ（Ｃｅｎｔｒａｌ  Ｐｒｏｃｅｓｓｉｎｇ  Ｕｎｉｔ）３０１と、メモリ３０２と、通信Ｉ／Ｆ（Ｉｎｔｅｒｆａｃｅ）３０３と、記録媒体Ｉ／Ｆ３０４と、記録媒体３０５とを有する。また、各構成部は、バス３００によってそれぞれ接続される。
【００６３】
ここで、ＣＰＵ３０１は、情報管理装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００６４】
メモリ３０２は、例えば、利用者２０５に対応する端末装置２０３ごとに、計測機２０１によって計測された計測結果を管理するために、図４に後述する管理情報テーブル４００を記憶する。
【００６５】
通信Ｉ／Ｆ３０３は、通信回線を通じてネットワーク２１０に接続され、ネットワーク２１０を介して他のコンピュータに接続される。他のコンピュータは、例えば、端末装置２０３や中継装置２０４である。そして、通信Ｉ／Ｆ３０３は、ネットワーク２１０と内部のインターフェースを司り、他のコンピュータからのデータの入出力を制御する。通信Ｉ／Ｆ３０３は、例えば、モデムやＬＡＮアダプタなどである。
【００６６】
記録媒体Ｉ／Ｆ３０４は、ＣＰＵ３０１の制御にしたがって記録媒体３０５に対するデータのリード／ライトを制御する。記録媒体Ｉ／Ｆ３０４は、例えば、ディスクドライブ、ＳＳＤ（Ｓｏｌｉｄ  Ｓｔａｔｅ  Ｄｒｉｖｅ）、ＵＳＢ（Ｕｎｉｖｅｒｓａｌ  Ｓｅｒｉａｌ  Ｂｕｓ）ポートなどである。記録媒体３０５は、記録媒体Ｉ／Ｆ３０４の制御で書き込まれたデータを記憶する不揮発メモリである。記録媒体３０５は、例えば、ディスク、半導体メモリ、ＵＳＢメモリなどである。記録媒体３０５は、情報管理装置１００から着脱可能であってもよい。
【００６７】
情報管理装置１００は、上述した構成部のほか、例えば、キーボード、マウス、ディスプレイ、タッチパネル、プリンタなどを有してもよい。また、情報管理装置１００は、記録媒体Ｉ／Ｆ３０４や記録媒体３０５を有していなくてもよい。
【００６８】
（管理情報テーブル４００のデータ構造例）
次に、図４を用いて、管理情報テーブル４００のデータ構造例について説明する。管理情報テーブル４００は、例えば、図３に示した情報管理装置１００のメモリ３０２や記録媒体３０５などの記憶領域により実現される。
【００６９】
図４は、管理情報テーブル４００のデータ構造例の一例を示す説明図である。図４に示すように、管理情報テーブル４００は、端末装置２０３の識別情報に対応付けて作成される。図４の例では、端末装置２０３の識別情報は、例えば、その端末装置２０３を有する利用者２０５の識別情報が用いられる。利用者２０５の識別情報は、具体的には、利用者２０５の名称「Ａさん」である。
【００７０】
図４に示すように、管理情報テーブル４００は、受信時刻と、計測機識別と、計測結果とのフィールドを有する。管理情報テーブル４００は、各フィールドに情報を設定することにより、管理情報がレコードとして記憶される。
【００７１】
受信時刻のフィールドは、その端末装置２０３における発信機２０２からの電波の受信強度が閾値以上であった受信期間として、受信時刻の範囲が設定される。受信時刻のフィールドは、端末装置２０３における発信機２０２からの電波の受信強度が極大になった時点が設定されてもよい。受信時刻のフィールドは、端末装置２０３における発信機２０２からの電波の受信強度が閾値以上であった受信期間の中心時刻が設定されてもよい。受信時刻のフィールドは、例えば、端末装置２０３から受信した端末情報に基づいて設定される。
【００７２】
計測機識別のフィールドは、計測機２０１の識別情報が設定される。計測機２０１の識別情報は、例えば、計測機２０１の種別情報が用いられる。計測機２０１の種別情報は、例えば、「体組成計」である。計測結果のフィールドは、その受信時刻のフィールドに設定された受信期間に、その計測機識別のフィールドに設定された識別情報に対応する計測機２０１によって計測された計測結果が設定される。
【００７３】
（計測機２０１のハードウェア構成例）
次に、図５を用いて、計測機２０１のハードウェア構成例について説明する。
【００７４】
図５は、計測機２０１のハードウェア構成例を示すブロック図である。図５において、計測機２０１は、ＣＰＵ５０１と、メモリ５０２と、通信Ｉ／Ｆ５０３と、記録媒体Ｉ／Ｆ５０４と、記録媒体５０５と、計測部５０６と、タイマ５０７を有する。また、各構成部は、バス５００によってそれぞれ接続される。
【００７５】
ここで、ＣＰＵ５０１は、計測機２０１の全体の制御を司る。メモリ５０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ５０１のワークエリアとして使用される。メモリ５０２に記憶されるプログラムは、ＣＰＵ５０１にロードされることで、コーディングされている処理をＣＰＵ５０１に実行させる。
【００７６】
メモリ５０２は、例えば、計測機２０１によって計測された計測結果を蓄積するために、図６に後述する計測情報テーブル６００を記憶する。
【００７７】
通信Ｉ／Ｆ５０３は、近距離無線通信を介して、他のコンピュータと通信する。他のコンピュータは、例えば、中継装置２０４である。通信Ｉ／Ｆ５０３は、例えば、Ｂｌｕｅｔｏｏｔｈの形式に対応するアンテナを有する通信回路である。通信Ｉ／Ｆ５０３は、例えば、Ｗｉ−Ｆｉ（登録商標）の形式に対応するアンテナを有する通信回路であってもよい。通信Ｉ／Ｆ５０３は、情報管理装置１００と直接通信してもよい。
【００７８】
記録媒体Ｉ／Ｆ５０４は、ＣＰＵ５０１の制御にしたがって記録媒体５０５に対するデータのリード／ライトを制御する。記録媒体Ｉ／Ｆ５０４は、例えば、ディスクドライブ、ＳＳＤ、ＵＳＢポートなどである。記録媒体５０５は、記録媒体Ｉ／Ｆ５０４の制御で書き込まれたデータを記憶する不揮発メモリである。記録媒体５０５は、例えば、ディスク、半導体メモリ、ＵＳＢメモリなどである。記録媒体５０５は、計測機２０１から着脱可能であってもよい。
【００７９】
記録媒体５０５は、例えば、メモリ５０２の代わりに、図６に後述する計測情報テーブル６００を記憶してもよい。そして、記録媒体５０５は、計測機２０１から取り外され、情報管理装置１００に装着されることにより、計測機２０１によって記憶された計測情報テーブル６００を、情報管理装置１００にコピーするために用いられてもよい。
【００８０】
計測部５０６は、計測機２０１の利用者２０５について、体温、血圧、心拍数、体重、体脂肪率、体組成などの健康情報を計測する。計測部５０６は、例えば、利用者２０５に微弱電流を流し、その電流に対する抵抗値を計測することにより、利用者２０５の体脂肪率、筋肉量などを計測する。計測部５０６は、例えば、重量センサを有し、利用者２０５の体重を計測する。タイマ５０７は、時刻を計る時計である。タイマ５０７は、例えば、計測時刻を特定するために用いられる。
【００８１】
計測機２０１は、上述した構成部のほか、例えば、キーボード、マウス、ディスプレイ、タッチパネル、プリンタなどを有してもよい。また、計測機２０１は、記録媒体Ｉ／Ｆ５０４や記録媒体５０５を有していなくてもよい。
【００８２】
（計測情報テーブル６００のデータ構造例）
次に、図６を用いて、計測情報テーブル６００のデータ構造例について説明する。計測情報テーブル６００は、例えば、図５に示した計測機２０１のメモリ５０２や記録媒体５０５などの記憶領域により実現される。
【００８３】
図６は、計測情報テーブル６００のデータ構造例の一例を示す説明図である。図６に示すように、計測情報テーブル６００は、計測時刻と、計測機識別と、計測結果とのフィールドを有する。計測情報テーブル６００は、各フィールドに情報を設定することにより、計測情報がレコードとして記憶される。
【００８４】
計測時刻のフィールドは、計測機２０１が利用者２０５について計測を行った時刻が設定される。計測機識別のフィールドは、計測機２０１の識別情報が設定される。計測機２０１の識別情報は、例えば、計測機２０１の種別情報が用いられる。計測結果のフィールドは、その計測時刻のフィールドに設定された時刻に、その計測機識別のフィールドに設定された識別情報に対応する計測機２０１によって計測された計測結果が設定される。
【００８５】
計測情報テーブル６００は、計測結果が単位を含む場合、その単位を、計測機２０１の識別情報の代わりに用いてもよい。計測情報テーブル６００は、単位を、計測機２０１の識別情報の代わりに用いる場合、計測機識別のフィールドを有さなくてもよい。
【００８６】
（発信機２０２のハードウェア構成例）
次に、図７を用いて、発信機２０２のハードウェア構成例について説明する。
【００８７】
図７は、発信機２０２のハードウェア構成例を示すブロック図である。図７において、発信機２０２は、ＣＰＵ７０１と、メモリ７０２と、通信Ｉ／Ｆ７０３とを有する。また、各構成部は、バス７００によってそれぞれ接続される。
【００８８】
ここで、ＣＰＵ７０１は、発信機２０２の全体の制御を司る。メモリ７０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ７０１のワークエリアとして使用される。メモリ７０２に記憶されるプログラムは、ＣＰＵ７０１にロードされることで、コーディングされている処理をＣＰＵ７０１に実行させる。
【００８９】
メモリ７０２は、例えば、電波を変調し、その電波に信号データ８００を含ませるために、図８に後述する信号データ８００を記憶する。信号データ８００は、具体的には、図８に後述するように、信号データ８００ａであってもよいし、信号データ８００ｂであってもよい。
【００９０】
通信Ｉ／Ｆ７０３は、近距離無線通信を用いて、電波を発信する。通信Ｉ／Ｆ７０３は、例えば、メモリ７０２に記憶された信号データ８００ａまたは信号データ８００ｂを参照し、発信する電波に、その信号データ８００ａまたは信号データ８００ｂが含まれるようにする。通信Ｉ／Ｆ７０３は、例えば、Ｂｌｕｅｔｏｏｔｈの形式に対応するアンテナを有する通信回路である。通信Ｉ／Ｆ７０３は、例えば、Ｗｉ−Ｆｉの形式に対応するアンテナを有する通信回路であってもよい。
【００９１】
（信号データ８００のデータ構造例）
次に、図８を用いて、信号データ８００のデータ構造例について説明する。信号データ８００は、例えば、図７に示した発信機２０２のメモリ７０２などの記憶領域により実現される。
【００９２】
図８は、信号データ８００のデータ構造例の一例を示す説明図である。図８に示すように、信号データ８００として、例えば、信号データ８００ａが用いられる。信号データ８００ａは、発信機２０２の識別情報として発信機ＩＤを含む。発信機ＩＤは、例えば、発信機２０２の製造時に、その発信機２０２に割り当てられた識別情報である。発信機ＩＤは、具体的には、「ｂ１」である。
【００９３】
また、信号データ８００として、例えば、信号データ８００ｂが用いられてもよい。信号データ８００ｂは、発信機２０２の識別情報として、その発信機２０２が貼り付けられた計測機２０１の識別情報を含む。計測機２０１の識別情報は、例えば、計測機２０１の種別情報が用いられる。計測機２０１の種別情報は、例えば、「体組成計」である。信号データ８００に含まれる発信機２０２の識別情報は、通信Ｉ／Ｆ７０３などを介した外部装置との通信によって書き換えられてもよい。
【００９４】
（端末装置２０３のハードウェア構成例）
次に、図９を用いて、端末装置２０３のハードウェア構成例について説明する。
【００９５】
図９は、端末装置２０３のハードウェア構成例を示すブロック図である。図９において、端末装置２０３は、ＣＰＵ９０１と、メモリ９０２と、通信Ｉ／Ｆ９０３と、タイマ９０４とを有する。また、各構成部は、バス９００によってそれぞれ接続される。
【００９６】
ここで、ＣＰＵ９０１は、端末装置２０３の全体の制御を司る。メモリ９０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ９０１のワークエリアとして使用される。メモリ９０２に記憶されるプログラムは、ＣＰＵ９０１にロードされることで、コーディングされている処理をＣＰＵ９０１に実行させる。
【００９７】
メモリ９０２は、例えば、発信機２０２を識別するために、または、その発信機２０２に割り当てられた発信機ＩＤを、その発信機２０２が取り付けられた計測機２０１の識別情報に変換するために、図１０に後述する一覧情報テーブル１０００を記憶する。一覧情報テーブル１０００は、具体的には、図１０に後述するように、一覧情報テーブル１０００ａであってもよいし、一覧情報テーブル１０００ｂであってもよい。
【００９８】
メモリ９０２は、例えば、端末装置２０３によって発信機２０２からの電波が受信された受信時点を蓄積するために、図１１に後述する端末情報テーブル１１００を記憶する。端末情報テーブル１１００は、具体的には、図１１に後述するように、端末情報テーブル１１００ａであってもよいし、端末情報テーブル１１００ｂであってもよい。
【００９９】
通信Ｉ／Ｆ９０３は、ネットワーク２１０に接続され、ネットワーク２１０を介して他のコンピュータに接続される。他のコンピュータは、例えば、情報管理装置１００である。そして、通信Ｉ／Ｆ９０３は、ネットワーク２１０と内部のインターフェースを司り、他のコンピュータからのデータの入出力を制御する。また、通信Ｉ／Ｆ９０３は、発信機２０２の電波を受信する。
【０１００】
通信Ｉ／Ｆ９０３は、例えば、Ｂｌｕｅｔｏｏｔｈの形式に対応するアンテナを有する通信回路である。通信Ｉ／Ｆ９０３は、例えば、Ｗｉ−Ｆｉ（登録商標）の形式に対応するアンテナを有する通信回路であってもよい。
【０１０１】
通信Ｉ／Ｆ９０３は、例えば、３Ｇ（３ｒｄ  Ｇｅｎｅｒａｔｉｏｎ）の形式に対応するアンテナを有する通信回路であってもよい。通信Ｉ／Ｆ９０３は、例えば、ＬＴＥ（Ｌｏｎｇ  Ｔｅｒｍ  Ｅｖｏｌｕｔｉｏｎ）の形式に対応するアンテナを有する通信回路であってもよい。
【０１０２】
タイマ９０４は、時刻を計る時計である。タイマ９０４は、例えば、発信機２０２からの電波が受信された受信時刻を特定するために用いられる。端末装置２０３は、上述した構成部のほか、例えば、ディスプレイ、タッチパネルなどを有してもよい。
【０１０３】
（一覧情報テーブル１０００のデータ構造例）
次に、図１０を用いて、一覧情報テーブル１０００のデータ構造例について説明する。一覧情報テーブル１０００は、例えば、図９に示した端末装置２０３のメモリ９０２などの記憶領域により実現される。
【０１０４】
図１０は、一覧情報テーブル１０００のデータ構造例の一例を示す説明図である。図１０に示すように、一覧情報テーブル１０００として、例えば、一覧情報テーブル１０００ａが用いられる。一覧情報テーブル１０００ａは、発信機ＩＤのフィールドを有する。一覧情報テーブル１０００ａは、各フィールドに情報を設定することにより、一覧情報がレコードとして記憶される。
【０１０５】
発信機ＩＤのフィールドは、発信機ＩＤが設定される。発信機ＩＤは、発信機２０２の製造時に、その発信機２０２に割り当てられた識別情報である。発信機ＩＤは、具体的には、「ｂ１」である。
【０１０６】
また、一覧情報テーブル１０００として、例えば、一覧情報テーブル１０００ｂが用いられてもよい。一覧情報テーブル１０００ｂは、発信機ＩＤと、計測機識別とのフィールドを有する。一覧情報テーブル１０００ｂは、各フィールドに情報を設定することにより、一覧情報がレコードとして記憶される。
【０１０７】
発信機ＩＤのフィールドは、発信機ＩＤが設定される。発信機ＩＤは、発信機２０２の製造時に、その発信機２０２に割り当てられた識別情報である。発信機ＩＤは、具体的には、「ｂ１」である。計測機識別のフィールドは、計測機２０１の識別情報が設定される。計測機２０１の識別情報は、例えば、計測機２０１の種別情報が用いられる。計測機２０１の種別情報は、例えば、「体組成計」である。
【０１０８】
（端末情報テーブル１１００のデータ構造例）
次に、図１１を用いて、端末情報テーブル１１００のデータ構造例について説明する。端末情報テーブル１１００は、例えば、図９に示した端末装置２０３のメモリ９０２などの記憶領域により実現される。
【０１０９】
図１１は、端末情報テーブル１１００のデータ構造例の一例を示す説明図である。図１１に示すように、端末情報テーブル１１００として、例えば、端末情報テーブル１１００ａが用いられる。端末情報テーブル１１００ａは、端末装置２０３の識別情報を含み、受信時刻と、計測機識別とのフィールドを有する。端末情報テーブル１１００は、各フィールドに情報を設定することにより、端末情報がレコードとして記憶される。
【０１１０】
端末装置２０３の識別情報は、例えば、その端末装置２０３を有する利用者２０５の識別情報が用いられる。利用者２０５の識別情報は、具体的には、利用者２０５の名称「Ａさん」である。受信時刻のフィールドは、その端末装置２０３における発信機２０２からの電波の受信強度が閾値以上であった受信期間が設定される。受信時刻のフィールドは、端末装置２０３における発信機２０２からの電波の受信強度が極大になった時点が設定されてもよい。
【０１１１】
計測機識別のフィールドは、その受信時刻のフィールドに設定された受信期間に電波が受信された発信機２０２が貼り付けられた計測機２０１の識別情報が設定される。計測機２０１の識別情報は、例えば、計測機２０１の種別情報が用いられる。計測機２０１の種別情報は、例えば、「体組成計」である。
【０１１２】
また、端末情報テーブル１１００として、例えば、端末情報テーブル１１００ｂが用いられる。端末情報テーブル１１００ｂは、端末装置２０３の識別情報を含み、受信時刻と、計測機識別と、電波強度とのフィールドを有する。端末情報テーブル１１００は、各フィールドに情報を設定することにより、端末情報がレコードとして記憶される。
【０１１３】
端末装置２０３の識別情報は、例えば、その端末装置２０３を有する利用者２０５の識別情報が用いられる。利用者２０５の識別情報は、具体的には、利用者２０５の名称「Ａさん」である。受信時刻のフィールドは、その端末装置２０３における発信機２０２からの電波の受信強度が閾値以上であった受信期間が設定される。受信時刻のフィールドは、端末装置２０３における発信機２０２からの電波の受信強度が極大になった時点が設定されてもよい。
【０１１４】
計測機識別のフィールドは、その受信時刻のフィールドに設定された受信期間に電波が受信された発信機２０２が貼り付けられた計測機２０１の識別情報が設定される。計測機２０１の識別情報は、例えば、計測機２０１の種別情報が用いられる。計測機２０１の種別情報は、例えば、「体組成計」である。
【０１１５】
電波強度のフィールドは、その受信時刻のフィールドに設定された受信期間における電波の平均受信強度が設定される。電波強度のフィールドは、その受信時刻のフィールドに設定された受信期間における電波の極大値が設定されてもよい。
【０１１６】
（中継装置２０４のハードウェア構成例）
次に、図１２を用いて、中継装置２０４のハードウェア構成例について説明する。
【０１１７】
図１２は、中継装置２０４のハードウェア構成例を示すブロック図である。図１２において、中継装置２０４は、ＣＰＵ１２０１と、メモリ１２０２と、通信Ｉ／Ｆ１２０３とを有する。また、各構成部は、バス１２００によってそれぞれ接続される。
【０１１８】
ここで、ＣＰＵ１２０１は、中継装置２０４の全体の制御を司る。メモリ１２０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ１２０１のワークエリアとして使用される。メモリ１２０２に記憶されるプログラムは、ＣＰＵ１２０１にロードされることで、コーディングされている処理をＣＰＵ１２０１に実行させる。
【０１１９】
通信Ｉ／Ｆ１２０３は、ネットワーク２１０に接続され、ネットワーク２１０を介して他のコンピュータに接続される。他のコンピュータは、例えば、情報管理装置１００である。そして、通信Ｉ／Ｆ１２０３は、ネットワーク２１０と内部のインターフェースを司り、他のコンピュータからのデータの入出力を制御する。また、通信Ｉ／Ｆ１２０３は、近距離無線通信を介して、他のコンピュータと通信する。他のコンピュータは、例えば、計測機２０１である。
【０１２０】
通信Ｉ／Ｆ１２０３は、例えば、Ｂｌｕｅｔｏｏｔｈの形式に対応するアンテナを有する通信回路である。通信Ｉ／Ｆ１２０３は、例えば、Ｗｉ−Ｆｉ（登録商標）の形式に対応するアンテナを有する通信回路であってもよい。
【０１２１】
通信Ｉ／Ｆ１２０３は、例えば、３Ｇの形式に対応するアンテナを有する通信回路であってもよい。通信Ｉ／Ｆ１２０３は、例えば、ＬＴＥの形式に対応するアンテナを有する通信回路であってもよい。中継装置２０４は、上述した構成部のほか、例えば、タッチパネルなどを有してもよい。
【０１２２】
（情報管理装置１００の機能的構成例）
次に、図１３を用いて、情報管理装置１００の機能的構成例について説明する。
【０１２３】
図１３は、情報管理装置１００の機能的構成例を示すブロック図である。情報管理装置１００は、記憶部１３０１と、取得部１３０２と、判定部１３０３と、出力部１３０４とを含む。
【０１２４】
記憶部１３０１は、例えば、図３に示したメモリ３０２や記録媒体３０５などの記憶領域によって実現される。取得部１３０２〜出力部１３０４は、制御部となる機能である。取得部１３０２〜出力部１３０４は、具体的には、例えば、図３に示したメモリ３０２や記録媒体３０５などの記憶領域に記憶されたプログラムをＣＰＵ３０１に実行させることにより、または、通信Ｉ／Ｆ３０３により、その機能を実現する。各機能部の処理結果は、例えば、図３に示したメモリ３０２や記録媒体３０５などの記憶領域に記憶される。
【０１２５】
記憶部１３０１は、計測情報を蓄積する。計測情報は、計測機２０１によって計測された計測結果と計測時点とを対応付けた対応情報である。計測情報は、さらに計測機２０１の識別情報を対応付けてもよい。これにより、記憶部１３０１は、利用者２０５に対応する端末装置２０３に対応付ける対象になる計測情報を蓄積し、判定部１３０３に提供することができる。
【０１２６】
記憶部１３０１は、端末情報を蓄積する。端末情報は、計測機２０１の利用者２０５に対応する端末装置２０３によって、計測機２０１の近傍の発信機２０２によって発信された電波が受信された受信時点と、端末装置２０３の識別情報とを対応付けた対応情報である。受信時点は、例えば、端末装置２０３における電波の受信強度が閾値以上になった時点である。受信時点は、例えば、端末装置２０３における電波の受信強度が閾値以上である受信期間によって示されてもよい。
【０１２７】
電波は、例えば、発信機２０２と端末装置２０３との距離が所定以上の場合には端末装置２０３でその電波を受信したと判断されないように、所定以下の電力を用いて発信される。受信強度に対する閾値は、例えば、発信機２０２と端末装置２０３との距離が所定未満の場合に端末装置２０３で電波を受信したと判断されるように設定される。このため、例えば、発信機２０２と端末装置２０３との距離が１ｍ以下の場合に、端末装置２０３で電波を受信したと判断されるようになる。
【０１２８】
端末情報は、さらに発信機２０２の識別情報を対応付けてもよい。端末情報は、さらに端末装置２０３における電波の受信強度を対応付けてもよい。端末情報は、端末装置２０３における電波の受信強度として、直前Ｎ秒間の平均受信強度を用いてもよい。これにより、記憶部１３０１は、計測情報を対応付ける端末装置２０３を特定する際に用いられる端末情報を蓄積し、判定部１３０３に提供することができる。
【０１２９】
取得部１３０２は、計測情報を取得する。取得部１３０２は、例えば、取得した計測情報を記憶部１３０１に蓄積する。取得部１３０２は、具体的には、計測機２０１から中継装置２０４を介して計測情報を受信し、受信した計測情報を記憶部１３０１に蓄積する。これにより、取得部１３０２は、記憶部１３０１に、利用者２０５に対応する端末装置２０３に対応付ける対象になる計測情報を蓄積しておくことができる。
【０１３０】
取得部１３０２は、端末情報を取得する。取得部１３０２は、例えば、取得した端末情報を記憶部１３０１に蓄積する。取得部１３０２は、具体的には、端末装置２０３から端末情報を受信し、受信した端末情報を記憶部１３０１に蓄積する。これにより、取得部１３０２は、記憶部１３０１に、計測情報を対応付ける端末装置２０３を特定する際に用いられる端末情報を蓄積しておくことができる。
【０１３１】
判定部１３０３は、記憶部１３０１のいずれかの計測情報と、記憶部１３０１のいずれかの端末情報との組み合わせについて、第１の条件を満たすか否かを判定する。第１の条件は、例えば、計測時点と受信時点とが一致することである。第１の条件は、例えば、計測時点が、受信時点を示す受信期間に含まれることであってもよい。
【０１３２】
判定部１３０３は、例えば、記憶部１３０１のいずれかの計測情報と、記憶部１３０１のいずれかの端末情報との組み合わせを選択する。判定部１３０３は、選択した組み合わせの計測情報に対応付けられた計測時点と、その組み合わせの端末情報に対応付けられた受信時点とが一致する場合、第１の条件を満たすと判定する。
【０１３３】
判定部１３０３は、例えば、選択した組み合わせの計測情報に対応付けられた計測時点が、その組み合わせの端末情報に対応付けられた受信時点を示す受信期間に含まれる場合、第１の条件を満たすと判定してもよい。これにより、判定部１３０３は、選択した組み合わせが、正しい組み合わせであるか否かを判定することができる。
【０１３４】
正しい組み合わせは、その組み合わせの端末情報の取得元の端末装置２０３に対応する利用者２０５が、その組み合わせの計測情報の計測時点に、その組み合わせの計測情報の取得元の計測機２０１が計測した利用者２０５である可能性が大きい組み合わせである。
【０１３５】
判定部１３０３は、記憶部１３０１のいずれかの計測情報と、記憶部１３０１のいずれかの端末情報との組み合わせについて、第１の条件を満たすか否かを判定し、さらに第２の条件を満たすか否かを判定してもよい。第２の条件は、例えば、計測機２０１の識別情報と、発信機２０２の識別情報とが対応することである。第２の条件は、具体的には、計測機２０１の識別情報と、発信機２０２の識別情報として用いられた、その発信機２０２が貼り付けられた計測機２０１の識別情報とが一致することである。
【０１３６】
判定部１３０３は、例えば、記憶部１３０１のいずれかの計測情報と、記憶部１３０１のいずれかの端末情報との組み合わせを選択し、第１の条件を満たすか否かを判定する。判定部１３０３は、さらに、選択した組み合わせの計測情報に対応付けられた計測機２０１の識別情報と、その組み合わせの端末情報に対応付けられた発信機２０２の識別情報とが一致する場合、第２の条件を満たすと判定する。
【０１３７】
判定部１３０３は、例えば、発信機２０２の発信機ＩＤと、その発信機２０２が貼り付けられた計測機２０１の識別情報とを対応付けて記憶していてもよい。判定部１３０３は、選択した組み合わせの端末情報に対応付けられた発信機２０２の識別情報に対応付けて記憶された計測機２０１の識別情報を特定する。そして、判定部１３０３は、その組み合わせの計測情報に対応付けられた計測機２０１の識別情報と、特定した計測機２０１の識別情報とが一致する場合、第２の条件を満たすと判定する。これにより、判定部１３０３は、複数の計測機２０１があり、第１の条件を満たす計測情報と端末情報との組み合わせが複数あっても、選択した組み合わせが、正しい組み合わせであるかを判断することができる。
【０１３８】
判定部１３０３は、例えば、選択した組み合わせの端末情報の取得元の端末装置２０３に対応する利用者２０５を計測した計測機２０１が、その組み合わせの計測情報の取得元の計測機２０１であるか否かを判定することができる。このため、判定部１３０３は、いくつかの計測機２０１の計測時点が重複しても、選択した組み合わせが、正しい組み合わせであるかを判断することができる。
【０１３９】
判定部１３０３は、記憶部１３０１のいずれかの計測情報と、記憶部１３０１のいずれかの端末情報との組み合わせについて、第１の条件を満たすか否かを判定し、さらに第３の条件を満たすか否かを判定してもよい。第３の条件は、例えば、端末情報に対応付けられた電波の受信強度が、閾値以上であることである。第３の条件は、例えば、同じ計測情報を含み、第１の条件を満たす組み合わせが複数ある場合に、その複数の組み合わせのうち、判定対象の組み合わせの端末情報に対応付けられた電波の受信強度が最大であることであってもよい。
【０１４０】
判定部１３０３は、例えば、記憶部１３０１のいずれかの計測情報と、記憶部１３０１のいずれかの端末情報との組み合わせを選択し、第１の条件を満たすか否かを判定する。判定部１３０３は、さらに、選択した組み合わせの端末情報に対応付けられた電波の受信強度が、選択した組み合わせと同じ計測情報を含む他の組み合わせの端末情報に対応付けられた電波の受信強度より大きい場合、第３の条件を満たすと判定する。これにより、判定部１３０３は、複数の端末装置２０３があり、第１の条件を満たす計測情報と端末情報との組み合わせが複数あっても、選択した組み合わせが、正しい組み合わせであるかを判断することができる。
【０１４１】
判定部１３０３は、例えば、選択した組み合わせの端末情報の取得元の端末装置２０３に対応する利用者２０５が、その組み合わせの計測情報の取得元の計測機２０１に最も近づいて、その計測機２０１に計測された可能性が大きいか否かを判定することができる。このため、判定部１３０３は、いくつかの端末装置２０３の受信時点が重複しても、選択した組み合わせが、正しい組み合わせであるかを判断することができる。
【０１４２】
判定部１３０３は、記憶部１３０１のいずれかの計測情報と、記憶部１３０１のいずれかの端末情報との組み合わせについて、第１の条件を満たすか否かを判定し、さらに第２の条件を満たすか否かを判定し、第３の条件を満たすか否かを判定してもよい。第１の条件、第２の条件、または第３の条件についての判定内容は、上述した判定内容と同様であるため、説明を省略する。これにより、判定部１３０３は、選択した組み合わせが、正しい組み合わせであるかを判断することができる。
【０１４３】
判定部１３０３は、記憶部１３０１のそれぞれの計測情報に対応付けられた計測時点を補正してから、上述した第１の条件、第２の条件、または第３の条件についての判定を行ってもよい。判定部１３０３は、例えば、記憶部１３０１のいずれかの計測情報に対応付けられた計測時点と、記憶部１３０１のいずれかの端末情報に対応付けられた受信時点との差分に基づいて、記憶部１３０１のそれぞれの計測情報に対応付けられた計測時点を補正する。これにより、判定部１３０３は、計測機２０１が計る時刻と、端末装置２０３が計る時刻とにずれがあっても、計測情報と端末情報とを組み合わせる精度を向上することができる。
【０１４４】
出力部１３０４は、計測情報と端末情報との組み合わせが第１の条件を満たす場合に、その計測情報に対応付けられた計測結果と、その端末情報に対応付けられた端末装置２０３の識別情報とを対応付けて出力する。これにより、出力部１３０４は、利用者２０５に対応する端末装置２０３に、その利用者２０５が近づいた可能性が大きく、その利用者２０５を計測した可能性が大きい計測機２０１による計測結果を対応付けることができる。
【０１４５】
出力部１３０４は、計測情報と端末情報との組み合わせが、第１の条件と第２の条件とを満たす場合に、その計測情報に対応付けられた計測結果と、その端末情報に対応付けられた端末装置２０３の識別情報とを対応付けて出力してもよい。これにより、出力部１３０４は、複数の計測機２０１があっても、利用者２０５に対応する端末装置２０３に、その利用者２０５が近づいた可能性が大きく、その利用者２０５を計測した可能性が大きい計測機２０１による計測結果を対応付けることができる。
【０１４６】
出力部１３０４は、計測情報と端末情報との組み合わせが、第１の条件と第３の条件とを満たす場合に、その計測情報に対応付けられた計測結果と、その端末情報に対応付けられた端末装置２０３の識別情報とを対応付けて出力してもよい。これにより、出力部１３０４は、複数の端末装置２０３が同じ計測機２０１に近づいても、端末装置２０３に、その端末装置２０３を有する利用者２０５が近づいて、その利用者２０５を計測した可能性が大きい計測機２０１の計測結果を対応付けることができる。
【０１４７】
出力部１３０４は、計測情報と端末情報との組み合わせが、第１の条件と第２の条件と第３の条件とを満たす場合に、その計測情報に対応付けられた計測結果と、その端末情報に対応付けられた端末装置２０３の識別情報とを対応付けて出力してもよい。これにより、出力部１３０４は、利用者２０５に対応する端末装置２０３に、その利用者２０５が近づいた可能性が大きく、その利用者２０５を計測した可能性が大きい計測機２０１による計測結果を対応付けることができる。
【０１４８】
出力形式は、例えば、ディスプレイ（不図示）への表示、プリンタ（不図示）への印刷出力、通信Ｉ／Ｆ３０３による外部装置への送信、または、メモリ３０２や記録媒体３０５などの記憶領域への記憶であってもよい。
【０１４９】
（情報管理装置１００の具体的な動作例）
次に、図１４を用いて、図２に示した情報管理システム２００における、情報管理装置１００の具体的な動作例について説明する。
【０１５０】
図１４は、情報管理装置１００の具体的な動作例を示す説明図である。図１４において、計測機２０１−１は、体組成計である。以下の説明では、計測機２０１−１を「体組成計２０１−１」と表記する場合がある。また、図１４において、計測機２０１−２は血圧計である。以下の説明では、計測機２０１−２を「血圧計２０１−２」と表記する場合がある。
【０１５１】
利用者２０５−１は、体組成計２０１−１や血圧計２０１−２を操作し、体組成計２０１−１や血圧計２０１−２によって計測されたとする。利用者２０５−２は、体組成計２０１−１や血圧計２０１−２を操作し、体組成計２０１−１や血圧計２０１−２によって計測されたとする。これにより、体組成計２０１−１は、計測情報１４０１−１，１４０１−２などを、計測情報テーブル１４０１に蓄積している。また、これにより、血圧計２０１−２は、計測情報１４０２−１，１４０２−２などを、計測情報テーブル１４０２に蓄積している。
【０１５２】
利用者２０５−１が有する端末装置２０３−１は、利用者２０５−１が体組成計２０１−１や血圧計２０１−２に近づいたことに応じて、体組成計２０１−１や血圧計２０１−２の近傍の発信機２０２−１，２０２−２の電波を受信したとする。この電波は、例えば、信号データ８００ａを含む。端末装置２０３−１は、受信した電波に応じて、端末情報１４０３−１，１４０３−２などを作成する。端末装置２０３−１は、例えば、信号データ８００ａと、一覧情報テーブル１０００ｂとを参照して、計測機２０１の識別情報を特定し、端末情報１４０３−１，１４０３−２などを作成する。端末装置２０３−１は、端末情報を作成する都度、その端末情報を情報管理装置１００に送信する。
【０１５３】
利用者２０５−２が有する端末装置２０３−２は、利用者２０５−２が体組成計２０１−１や血圧計２０１−２に近づいたことに応じて、体組成計２０１−１や血圧計２０１−２の近傍の発信機２０２−１，２０２−２の電波を受信したとする。この電波は、例えば、信号データ８００ａを含む。端末装置２０３−２は、受信した電波に応じて、端末情報１４０４−１，１４０４−２などを作成する。端末装置２０３−２は、例えば、信号データ８００ａと、一覧情報テーブル１０００ｂとを参照して、計測機２０１の識別情報を特定し、端末情報１４０４−１，１４０４−２などを作成する。端末装置２０３−２は、端末情報を作成する都度、その端末情報を情報管理装置１００に送信する。ここで、端末装置２０３が、どのように電波を受信するかについては、図１５を用いて後述する。
【０１５４】
情報管理装置１００は、例えば、所定の時刻になると、計測機２０１−１から、計測情報テーブル１４０１を取得する。また、情報管理装置１００は、例えば、所定の時刻になると、計測機２０１−２から、計測情報テーブル１４０２を取得する。
【０１５５】
情報管理装置１００は、例えば、端末装置２０３−１から、端末情報１４０３−１，１４０３−２などを受信しており、その端末装置２０３−１を有する利用者２０５−１の名称「Ａさん」に対応する端末情報テーブル１４０３を用意して管理している。また、情報管理装置１００は、例えば、端末装置２０３−２から、端末情報１４０４−１，１４０４−２などを受信しており、その端末装置２０３−２を有する利用者２０５−２の名称「Ｂさん」に対応する端末情報テーブル１４０４を用意して管理している。
【０１５６】
情報管理装置１００は、計測情報１４０１−１を選択し、計測機識別「体組成計」と、計測時刻「１０：０７」とを抽出する。次に、情報管理装置１００は、端末情報１４０３−１，１４０３−２，１４０４−１，１４０４−２のうち、抽出した計測機識別「体組成計」と同じ情報が含まれる、端末情報１４０３−１，１４０４−２を選択する。そして、情報管理装置１００は、選択した端末情報１４０３−１，１４０４−２のうち、抽出した計測時刻「１０：０７」を含む受信時刻の範囲「１０：０５〜１０：０８」が対応付けられた端末情報１４０３−１を選択する。
【０１５７】
情報管理装置１００は、選択した計測情報１４０１−１と、選択した端末情報１４０３−１との組み合わせを、正しい組み合わせと判断する。次に、情報管理装置１００は、選択した端末情報１４０３−１の端末装置２０３の識別情報として設定された、その端末装置２０３を有する利用者２０５の名称「Ａさん」に対応付けて管理情報テーブル１４０５を用意する。そして、情報管理装置１００は、選択した計測情報１４０１−１の計測機識別と計測結果と、選択した端末情報１４０３−１の受信時刻の範囲とを対応付けた管理情報１４０５−１を作成し、管理情報テーブル１４０５に記憶する。
【０１５８】
情報管理装置１００は、計測情報１４０１−２を選択し、計測機識別「体組成計」と、計測時刻「１０：１３」とを抽出する。次に、情報管理装置１００は、端末情報１４０３−１，１４０３−２，１４０４−１，１４０４−２のうち、抽出した計測機識別「体組成計」と同じ情報が含まれる、端末情報１４０３−１，１４０４−２を選択する。ここで、情報管理装置１００は、端末情報１４０３−１について既に計測情報１４０１−１と組み合わせているため、端末情報１４０３−１を選択せず、端末情報１４０４−２を選択してもよい。そして、情報管理装置１００は、選択した端末情報１４０３−１，１４０４−２のうち、抽出した計測時刻「１０：１３」を含む受信時刻の範囲「１０：１２〜１０：１５」が対応付けられた端末情報１４０４−２を選択する。
【０１５９】
情報管理装置１００は、選択した計測情報１４０１−２と、選択した端末情報１４０４−２との組み合わせを、正しい組み合わせと判断する。次に、情報管理装置１００は、選択した端末情報１４０４−２の端末装置２０３の識別情報として設定された、その端末装置２０３を有する利用者２０５の名称「Ｂさん」に対応付けて管理情報テーブル１４０６を用意する。そして、情報管理装置１００は、選択した計測情報１４０１−２の計測機識別と計測結果と、選択した端末情報１４０４−２の受信時刻の範囲とを対応付けた管理情報１４０６−１を作成し、管理情報テーブル１４０６に記憶する。
【０１６０】
情報管理装置１００は、同様に、計測情報１４０２−１を選択し、端末情報１４０４−１を選択し、その計測情報１４０２−１と、その端末情報１４０４−１との組み合わせを、正しい組み合わせと判断する。そして、情報管理装置１００は、その組み合わせに基づいて、管理情報１４０６−２を作成し、用意済みの管理情報テーブル１４０６に記憶する。
【０１６１】
情報管理装置１００は、同様に、計測情報１４０２−２を選択し、端末情報１４０３−２を選択し、その計測情報１４０２−２と、その端末情報１４０３−２との組み合わせを、正しい組み合わせと判断する。そして、情報管理装置１００は、その組み合わせに基づいて、管理情報１４０５−２を作成し、用意済みの管理情報テーブル１４０５に記憶する。
【０１６２】
これにより、情報管理装置１００は、計測機２０１の計測結果のうち、いずれかの端末装置２０３を有する利用者２０５の計測結果であると判断される計測結果を、その端末装置２０３の識別情報に対応付けてまとめることができる。このため、情報管理装置１００は、計測機ｍ１を共用する利用者が何人いても、利用者ごとに計測結果をまとめやすくすることができ、利用者ごとに健康状態を把握しやすくすることができる。また、情報管理装置１００は、複数の計測機２０１があっても、計測機２０１ごとに、その計測機２０１の計測結果を、いずれかの端末装置２０３の識別情報に対応付けてまとめることができる。
【０１６３】
また、情報管理システム２００では、複数の計測機２０１が作成する計測情報は、少なくとも計測時点と計測結果とを対応付けていれば、データ構造が異なっていてもよい。このため、情報管理システム２００では、複数の計測機２０１が、同じ製造者によって製造された計測機２０１でなくてもよいし、同じ製造基準にしたがって製造された計測機２０１でなくてもよい。結果として、情報管理システム２００は、複数の計測機２０１が利用される状況に対して適用しやすくすることができる。
【０１６４】
ここでは、情報管理装置１００が、所定の時点になると計測情報や端末情報を取得する場合について説明したが、これに限らない。例えば、計測機２０１が、計測情報を作成する都度、計測情報を情報管理装置１００に送信することによって、情報管理装置１００が、計測情報を取得する場合があってもよい。また、例えば、端末装置２０３が、端末情報を作成する都度、端末情報を情報管理装置１００に送信することによって、情報管理装置１００が、端末情報を取得する場合があってもよい。
【０１６５】
ここでは、端末装置２０３が、受信した電波に含まれる信号データ８００ａと、一覧情報テーブル１０００ｂとを参照して、計測機２０１の識別情報を特定し、端末情報を作成する場合について説明したが、これに限らない。例えば、発信機２０２の電波が、信号データ８００ｂを含み、端末装置２０３が、一覧情報テーブル１０００を有さない場合があってもよい。この場合、端末装置２０３は、受信した電波に含まれる信号データ８００ｂを参照して、計測機２０１の識別情報を特定し、端末情報を作成する。
【０１６６】
また、例えば、発信機２０２の電波が、信号データ８００ａを含み、端末装置２０３が、一覧情報テーブル１０００ａを有し、情報管理装置１００が、一覧情報テーブル１０００ｂを有する場合があってもよい。この場合、端末装置２０３は、受信した電波に含まれる信号データ８００ａの発信機ＩＤを、端末情報に含めて、情報管理装置１００に送信する。そして、情報管理装置１００は、一覧情報テーブル１０００ｂを参照して、発信機ＩＤから計測機２０１の識別情報を特定する。
【０１６７】
ここでは、端末装置２０３が、端末情報を作成する都度、その端末情報を情報管理装置１００に送信する場合について説明したが、これに限らない。例えば、端末装置２０３が、作成した端末情報を端末情報テーブル１１００ａに蓄積しておき、所定のタイミングに、その端末情報テーブル１１００ａを情報管理装置１００に送信してもよい。
【０１６８】
ここでは、端末情報に、電波の平均受信強度が含まれない場合について説明したが、これに限らない。例えば、端末情報に、電波の平均受信強度が含まれる場合があってもよい。この場合、情報管理装置１００は、複数の端末情報の電波の平均受信強度を比較した結果にも基づいて、管理情報を作成してもよい。
【０１６９】
（端末装置２０３が電波を受信したと判定する一例）
次に、図１５を用いて、端末装置２０３が電波を受信したと判定する一例について説明する。
【０１７０】
図１５は、端末装置２０３が電波を受信したと判定する一例を示す説明図である。図１５のグラフの横軸は、時刻であり、図１５のグラフの縦軸は、その時刻の直前Ｎ秒間の、端末装置２０３における電波の平均受信強度である。平均受信強度の単位は、例えば、ｄＢである。
【０１７１】
（１５−１）端末装置２０３は、端末装置２０３における電波の平均受信強度が、第２閾値を超えたか否かを判定する。端末装置２０３は、端末装置２０３における電波の平均受信強度が、第２閾値を超えたと判定すると、下記（１５−２）〜（１５−４）の動作に移行する。
【０１７２】
（１５−２）端末装置２０３は、端末装置２０３における電波の平均受信強度が、さらに第１閾値を超えたか否かを判定する。第１閾値は、第２閾値より大きい。端末装置２０３は、端末装置２０３における電波の平均受信強度が、第１閾値を超えたと判定した時刻を、受信時刻の範囲の開始時刻として記憶する。
【０１７３】
（１５−３）端末装置２０３は、端末装置２０３における電波の平均受信強度が、第１閾値を超えた後、第１閾値を下回ったか否かを判定する。端末装置２０３は、端末装置２０３における電波の平均受信強度が、第１閾値を下回ったと判定した時刻を、受信時刻の範囲の終了時刻として記憶する。これにより、端末装置２０３は、端末装置２０３における電波の平均受信強度が第１閾値以上であった受信時刻の範囲を特定することができる。
【０１７４】
（１５−４）端末装置２０３は、端末装置２０３における電波の平均受信強度が、第２閾値を下回ったか否かを判定する。端末装置２０３は、端末装置２０３における電波の平均受信強度が、第２閾値を下回ったと判定すると、特定した受信時刻の範囲を用いて、端末情報を作成し、情報管理装置１００に送信する。また、端末装置２０３は、端末情報を作成し、端末情報テーブル１１００に蓄積してもよい。
【０１７５】
（マッチング処理手順の一例）
次に、図１６を用いて、マッチング処理手順の一例について説明する。
【０１７６】
図１６は、マッチング処理手順の一例を示すフローチャートである。図１６において、情報管理装置１００は、複数の計測情報を、計測機２０１である体組成計から取得する（ステップＳ１６０１）。
【０１７７】
次に、情報管理装置１００は、複数の端末情報を、利用者Ａに対応する端末装置２０３から取得する（ステップＳ１６０２）。そして、情報管理装置１００は、計測情報の計測時刻と、端末情報の受信時刻の範囲とに基づいて、計測時刻が受信時刻の範囲に含まれる条件を満たす計測情報と端末情報とを組み合わせ、組み合わせた結果を記憶する（ステップＳ１６０３）。
【０１７８】
次に、情報管理装置１００は、複数の端末情報を、利用者Ｂに対応する端末装置２０３から取得する（ステップＳ１６０４）。そして、情報管理装置１００は、計測情報の計測時刻と、端末情報の受信時刻の範囲とに基づいて、計測時刻が受信時刻の範囲に含まれる条件を満たす計測情報と端末情報とを組み合わせ、組み合わせた結果を記憶する（ステップＳ１６０５）。
【０１７９】
情報管理装置１００は、同様に、他の利用者２０５がいれば、他の利用者２０５に対応する端末装置２０３から複数の端末情報を取得し、計測情報と端末情報とを組み合わせ、組み合わせた結果を記憶する。その後、情報管理装置１００は、マッチング処理を終了する。
【０１８０】
また、情報管理装置１００は、同様に、他の計測機２０１があれば、他の計測機２０１についてもマッチング処理を実行する。これにより、情報管理装置１００は、それぞれの計測機２０１の計測結果を、利用者２０５ごとに分類することができる。
【０１８１】
（電波受信処理手順の一例）
次に、図１７を用いて、電波受信処理手順の一例について説明する。
【０１８２】
図１７は、電波受信処理手順の一例を示すフローチャートである。図１７において、端末装置２０３は、ビーコンの電波を受信したか否かを判定する（ステップＳ１７０１）。ここで、ビーコンの電波を受信していない場合（ステップＳ１７０１：Ｎｏ）、端末装置２０３は、ステップＳ１７０１の処理に戻る。
【０１８３】
一方で、ビーコンの電波を受信した場合（ステップＳ１７０１：Ｙｅｓ）、端末装置２０３は、直前Ｎ秒間の平均受信強度を算出する（ステップＳ１７０２）。次に、端末装置２０３は、今回算出した平均受信強度が、第２閾値より大きいか否かを判定する（ステップＳ１７０３）。ここで、今回算出した平均受信強度が、第２閾値より大きい場合（ステップＳ１７０３：Ｙｅｓ）、端末装置２０３は、ステップＳ１７０４の処理に移行する。
【０１８４】
一方で、今回算出した平均受信強度が、第２閾値以下である場合（ステップＳ１７０３：Ｎｏ）、端末装置２０３は、ステップＳ１７０９の処理に移行する。
【０１８５】
ステップＳ１７０４に移行すると、端末装置２０３は、今回算出した平均受信強度が、第１閾値より大きいか否かを判定する（ステップＳ１７０４）。ここで、今回算出した平均受信強度が、第１閾値より大きい場合（ステップＳ１７０４：Ｙｅｓ）、端末装置２０３は、前回算出した平均受信強度が、第１閾値より大きいか否かを判定する（ステップＳ１７０５）。
【０１８６】
ここで、前回算出した平均受信強度が、第１閾値より大きい場合（ステップＳ１７０５：Ｙｅｓ）、端末装置２０３は、ステップＳ１７０１の処理に戻る。一方で、前回算出した平均受信強度が、第１閾値以下である場合（ステップＳ１７０５：Ｎｏ）、端末装置２０３は、現在時刻を、受信開始時刻として記録する（ステップＳ１７０６）。そして、端末装置２０３は、ステップＳ１７０１の処理に戻る。
【０１８７】
一方で、今回算出した平均受信強度が、第１閾値以下である場合（ステップＳ１７０４：Ｎｏ）、端末装置２０３は、前回算出した平均受信強度が、第１閾値より大きいか否かを判定する（ステップＳ１７０７）。
【０１８８】
ここで、前回算出した平均受信強度が、第１閾値以下である場合（ステップＳ１７０７：Ｎｏ）、端末装置２０３は、ステップＳ１７０１の処理に戻る。一方で、前回算出した平均受信強度が、第１閾値より大きい場合（ステップＳ１７０７：Ｙｅｓ）、端末装置２０３は、現在時刻を、受信終了時刻として記録する（ステップＳ１７０８）。そして、端末装置２０３は、ステップＳ１７０１の処理に戻る。
【０１８９】
ステップＳ１７０９に移行すると、端末装置２０３は、平均受信強度が第２閾値を下回った回数が一定の回数を超えたか否かを判定する（ステップＳ１７０９）。ここで、一定の回数を超えていない場合（ステップＳ１７０９：Ｎｏ）、端末装置２０３は、ステップＳ１７０１の処理に戻る。
【０１９０】
一方で、一定の回数を超えた場合（ステップＳ１７０９：Ｙｅｓ）、端末装置２０３は、記録された受信開始時刻と、受信終了時刻とに基づいて、受信時点の範囲を含む端末情報を作成し、その端末情報を情報管理装置１００に送信する（ステップＳ１７１０）。これにより、端末装置２０３は、受信時点の範囲を含む端末情報を、情報管理装置１００に送信することができる。
【０１９１】
以上説明したように、情報管理装置１００によれば、計測機２０１によって計測された計測結果と計測時点とを対応付けた計測情報を取得することができる。また、情報管理装置１００によれば、端末装置２０３によって、計測機２０１の近傍の発信機２０２によって発信された電波が受信された受信時点と、端末装置２０３の識別情報とを対応付けた端末情報を取得することができる。また、情報管理装置１００によれば、取得した計測情報と端末情報とに基づいて、計測時点と受信時点との組み合わせが第１の条件を満たすか否かを判定することができる。また、情報管理装置１００によれば、第１の条件を満たす場合に、計測結果と端末装置２０３の識別情報とを対応付けて出力することができる。
【０１９２】
これにより、情報管理装置１００は、端末情報の取得元の端末装置２０３に対応する利用者２０５が、計測情報の計測時点に、その計測情報の取得元の計測機２０１によって計測された利用者２０５である可能性が大きいか否かを判断することができる。そして、情報管理装置１００は、その判断に基づき、計測機２０１の計測結果のうち、端末装置２０３を有する利用者２０５の計測結果である可能性が大きい計測結果を、その端末装置２０３の識別情報に対応付けてまとめることができる。このため、情報管理装置１００は、計測機２０１を共用する利用者２０５が何人いても、利用者２０５ごとに計測結果をまとめやすくすることができ、利用者２０５ごとに健康状態を把握しやすくすることができる。
【０１９３】
情報管理装置１００によれば、さらに計測機２０１の識別情報が対応付けられた計測情報を取得することができる。また、情報管理装置１００によれば、さらに発信機２０２の識別情報が対応付けられた端末情報を取得することができる。また、情報管理装置１００によれば、計測時点と受信時点との組み合わせが第１の条件を満たすか否かを判定することができる。また、情報管理装置１００によれば、計測機２０１の識別情報と発信機２０２の識別情報との組み合わせが第２の条件を満たすか否かを判定することができる。また、情報管理装置１００によれば、第１の条件を満たし、かつ、第２の条件を満たす場合に、計測結果と端末装置２０３の識別情報とを対応付けて出力することができる。
【０１９４】
例えば、計測機２０１−１の計測時点と、他の計測機２０１−２に端末装置２０３が接近し、他の計測機２０１−２の近傍の発信機２０２−２の電波を、その端末装置２０３が受信した受信時点とが比較的近くなってしまう場合がある。この場合、その計測時点と、その受信時点との組み合わせが第１の条件を満たすことがあるが、その計測機２０１−１の計測結果と、その端末装置２０３の識別情報とを対応付けることは好ましくない。これに対し、情報管理装置１００は、第１の条件を満たしても、第２の条件を満たさなければ、計測結果と、端末装置２０３の識別情報とを対応付けないようにすることができる。このため、情報管理装置１００は、計測機２０１の計測結果に、その計測機２０１の近傍の発信機２０２に接近していない端末装置２０３の識別情報を対応付けることを防止し、計測結果と端末装置２０３の識別情報とを精度よく対応付けることができる。
【０１９５】
情報管理装置１００によれば、取得した計測情報を記憶部に蓄積することができる。また、情報管理装置１００によれば、取得した端末情報を記憶部に蓄積することができる。また、情報管理装置１００によれば、記憶部のいずれかの計測情報に対応付けられた計測時点と、記憶部のいずれかの端末情報に対応付けられた受信時点との組み合わせが第１の条件を満たすか否かを判定することができる。また、情報管理装置１００によれば、その計測情報に対応付けられた計測機２０１の識別情報と、その端末情報に対応付けられた発信機２０２の識別情報との組み合わせが第２の条件を満たすか否かを判定することができる。また、情報管理装置１００によれば、第１の条件を満たし、かつ、第２の条件を満たす場合に、その計測情報に対応付けられた計測結果と、その端末情報に対応付けられた端末装置２０３の識別情報とを対応付けて出力することができる。
【０１９６】
これにより、情報管理装置１００は、複数の計測機２０１について計測情報を蓄積しても、蓄積した計測情報が、いずれの計測機２０１の計測情報であるかを特定することができる。そして、情報管理装置１００は、複数の計測機２０１があり、第１の条件を満たす計測時点と受信時点との組み合わせが複数あっても、第２の条件に基づいて、どの計測結果と、どの端末装置２０３の識別情報とを対応付けるかを決定することができる。このため、情報管理装置１００は、計測機２０１の計測結果に、その計測機２０１の近傍の発信機２０２に接近していない端末装置２０３の識別情報を対応付けることを防止し、計測結果と端末装置２０３の識別情報とを精度よく対応付けることができる。
【０１９７】
情報管理装置１００によれば、さらに端末装置２０３における電波の受信強度が対応付けられた端末情報を取得することができる。また、情報管理装置１００によれば、計測時点と受信時点との組み合わせが第１の条件を満たすか否かを判定することができる。また、情報管理装置１００によれば、電波の受信強度が第３の条件を満たすか否かを判定することができる。また、情報管理装置１００によれば、第１の条件を満たし、かつ、第３の条件を満たす場合に、計測結果と端末装置２０３の識別情報とを対応付けて出力することができる。
【０１９８】
例えば、計測機２０１の計測時点付近に、その計測機２０１の近傍の発信機２０２から比較的遠い位置にある端末装置２０３が、その発信機２０２の電波を受信してしまう場合がある。この場合、その計測機２０１の計測時点と、その端末装置２０３の受信時点との組み合わせが第１の条件を満たすことがあるが、その計測機２０１の計測結果と、その端末装置２０３の識別情報とを対応付けることは好ましくない。これに対し、情報管理装置１００は、第１の条件を満たしても、第３の条件を満たさなければ、計測結果と、端末装置２０３の識別情報とを対応付けないようにすることができる。このため、情報管理装置１００は、計測機２０１の計測結果に、その計測機２０１の近傍の発信機２０２に接近していない端末装置２０３の識別情報を対応付けることを防止し、計測結果と端末装置２０３の識別情報とを精度よく対応付けることができる。
【０１９９】
情報管理装置１００によれば、取得した計測情報を記憶部に蓄積することができる。また、情報管理装置１００によれば、取得した端末情報を記憶部に蓄積することができる。また、情報管理装置１００によれば、記憶部のいずれかの計測情報に対応付けられた計測時点と、記憶部のいずれかの端末情報に対応付けられた受信時点との組み合わせが第１の条件を満たすか否かを判定することができる。また、情報管理装置１００によれば、その端末情報に対応付けられた受信強度が第３の条件を満たすか否かを判定することができる。また、情報管理装置１００によれば、第１の条件を満たし、かつ、第３の条件を満たす場合に、その計測情報に対応付けられた計測結果と、その端末情報に対応付けられた端末装置２０３の識別情報とを対応付けて出力することができる。
【０２００】
これにより、情報管理装置１００は、計測機２０１の近傍の発信機２０２の電波を受信した複数の端末装置２０３の端末情報を蓄積しても、いずれの端末情報が、その発信機２０２に最も近づいた端末装置２０３の端末情報であるかを判断することができる。そして、情報管理装置１００は、複数の端末装置２０３があり、第１の条件を満たす計測時点と受信時点との組み合わせが複数あっても、第３の条件に基づいて、どの計測結果と、どの端末装置２０３の識別情報とを対応付けるかを決定することができる。このため、情報管理装置１００は、計測機２０１の計測結果に、その計測機２０１の近傍の発信機２０２に接近していない端末装置２０３の識別情報を対応付けることを防止し、計測結果と端末装置２０３の識別情報とを精度よく対応付けることができる。
【０２０１】
情報管理装置１００によれば、取得した計測情報を記憶部に蓄積することができる。また、情報管理装置１００によれば、取得した端末情報を記憶部に蓄積することができる。また、情報管理装置１００によれば、記憶部のいずれかの計測情報に対応付けられた計測時点と、記憶部のいずれかの端末情報に対応付けられた受信時点との差分に基づいて、記憶部のそれぞれの計測情報に対応付けられた計測時点を補正することができる。これにより、情報管理装置１００は、計測機２０１が計る時刻と、端末装置２０３が計る時刻とにずれがあっても、計測結果と端末装置２０３の識別情報とを組み合わせる精度を向上することができる。
【０２０２】
情報管理装置１００によれば、発信機２０２から所定以下の電力を用いて発信された電波を受信した端末装置２０３の端末情報を用いることができる。これにより、情報管理装置１００は、計測機２０１の近傍の発信機２０２から一定距離以内にある可能性が大きく、その計測機２０１によって計測された可能性が比較的大きい利用者に対応する端末装置２０３の端末情報を取得することができる。このため、情報管理装置１００は、計測結果と端末装置２０３の識別情報とを組み合わせる精度を向上することができる。
【０２０３】
情報管理装置１００によれば、受信時点を、端末装置２０３における電波の受信強度が閾値以上である期間によって示すことができる。また、情報管理装置１００によれば、第１の条件として、計測時点が受信時点を示す期間に含まれることを用いることができる。これにより、情報管理装置１００は、端末装置２０３において一定期間電波が受信された場合であっても、計測結果と端末装置２０３の識別情報とを組み合わせる精度を向上することができる。
【０２０４】
なお、本実施の形態で説明した情報管理方法は、予め用意されたプログラムをパーソナル・コンピュータやワークステーション等のコンピュータで実行することにより実現することができる。本実施の形態で説明した情報管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本実施の形態で説明した情報管理プログラムは、インターネット等のネットワークを介して配布してもよい。
【０２０５】
上述した実施の形態に関し、さらに以下の付記を開示する。
【０２０６】
（付記１）コンピュータに、
計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
処理を実行させることを特徴とする情報管理プログラム。
【０２０７】
（付記２）前記計測情報は、さらに前記計測機の識別情報を対応付け、
前記端末情報は、さらに前記発信機の識別情報を対応付け、
前記出力する処理は、
前記計測機の識別情報と前記発信機の識別情報との組み合わせが第２の条件を満たし、かつ、前記計測時点と前記受信時点との組み合わせが前記所定の条件を満たす場合に、前記計測結果と前記端末装置の識別情報とを対応付けて出力する、ことを特徴とする付記１に記載の情報管理プログラム。
【０２０８】
（付記３）前記計測情報を取得する処理は、
取得した前記計測情報を第１の記憶部に蓄積し、
前記出力する処理は、
前記第１の記憶部のいずれかの前記計測情報に対応付けられた計測機の識別情報と前記発信機の識別情報との組み合わせが前記第２の条件を満たし、かつ、当該計測情報に対応付けられた計測時点と前記受信時点との組み合わせが前記所定の条件を満たす場合に、当該計測情報に対応付けられた計測結果と前記端末装置の識別情報とを対応付けて出力する、ことを特徴とする付記２に記載の情報管理プログラム。
【０２０９】
（付記４）前記端末情報は、さらに前記端末装置における前記電波の受信強度を対応付け、
前記出力する処理は、
前記計測時点と前記受信時点との組み合わせが前記所定の条件を満たし、前記電波の受信強度が第３の条件を満たす場合に、前記計測結果と前記端末装置の識別情報とを対応付けて出力する、ことを特徴とする付記１〜３のいずれか一つに記載の情報管理プログラム。
【０２１０】
（付記５）前記端末情報を取得する処理は、
取得した前記端末情報を第２の記憶部に蓄積し、
前記出力する処理は、
前記計測時点と前記第２の記憶部のいずれかの前記端末情報に対応付けられた受信時点との組み合わせが前記所定の条件を満たし、当該端末情報に対応付けられた受信強度が前記第３の条件を満たす場合に、前記計測結果と当該端末情報に対応付けられた端末装置の識別情報とを対応付けて出力する、ことを特徴とする付記４に記載の情報管理プログラム。
【０２１１】
（付記６）前記計測情報を取得する処理は、
取得した前記計測情報を第１の記憶部に蓄積し、
前記コンピュータに、
さらに、前記第１の記憶部のいずれかの前記計測情報に対応付けられた計測時点と前記受信時点との差分に基づいて、前記第１の記憶部のそれぞれの前記計測情報に対応付けられた計測時点を補正する、処理を実行させることを特徴とする付記１〜５のいずれか一つに記載の情報管理プログラム。
【０２１２】
（付記７）前記電波は、所定以下の電力を用いて発信される、ことを特徴とする付記１〜６のいずれか一つに記載の情報管理プログラム。
【０２１３】
（付記８）前記受信時点は、前記端末装置における前記電波の受信強度が閾値以上である期間によって示され、
前記所定の条件は、前記計測時点が前記受信時点を示す期間に含まれることである、ことを特徴とする付記１〜７のいずれか一つに記載の情報管理プログラム。
【０２１４】
（付記９）コンピュータが、
計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
処理を実行することを特徴とする情報管理方法。
【０２１５】
（付記１０）計測機と、前記計測機の近傍の発信機と、前記計測機の利用者に対応する端末装置と、情報管理装置とを含む情報管理システムであって、
前記計測機は、前記計測機によって計測された計測結果と計測時点とを対応付けた計測情報を、前記情報管理装置に送信し、
前記発信機は、電波を発信し、
前記端末装置は、前記端末装置によって前記電波が受信された受信時点と、前記端末装置の識別情報とを対応付けた端末情報を、前記情報管理装置に送信し、
前記情報管理装置は、前記計測情報と前記端末情報とを取得し、取得した前記計測情報と前記端末情報とに基づいて、前記計測時点と前記受信時点との組み合わせが所定の条件を満たす場合に、前記計測結果と前記端末装置の識別情報とを対応付けて出力する、ことを特徴とする情報管理システム。
【０２１６】
（付記１１）計測機によって計測された計測結果と計測時点とを対応付けた計測情報を取得し、
前記計測機の利用者に対応する端末装置によって、前記計測機の近傍の発信機によって発信された電波が受信された受信時点と、前記端末装置の識別情報とを対応付けた端末情報を取得し、
取得した前記計測情報と前記端末情報とに基づいて、前記計測時点と前記受信時点との組み合わせが所定の条件を満たす場合に、前記計測結果と前記端末装置の識別情報とを対応付けて出力する、
制御部を有することを特徴とする情報管理装置。
【符号の説明】
【０２１７】
１００  情報管理装置
２００  情報管理システム
２０１  計測機
２０２  発信機
２０３  端末装置
２０４  中継装置
２０５  利用者
２１０  ネットワーク
３００，５００，７００，９００，１２００  バス
３０１，５０１，７０１，９０１，１２０１  ＣＰＵ
３０２，５０２，７０２，９０２，１２０２  メモリ
３０３，５０３，７０３，９０３，１２０３  通信Ｉ／Ｆ
３０４，５０４  記録媒体Ｉ／Ｆ
３０５，５０５  記録媒体
４００，１４０５，１４０６  管理情報テーブル
５０６  計測部
５０７，９０４  タイマ
６００，１４０１，１４０２  計測情報テーブル
８００  信号データ
１０００  一覧情報テーブル
１１００，１４０３，１４０４  端末情報テーブル
１３０１  記憶部
１３０２  取得部
１３０３  判定部
１３０４  出力部
【図１】
2018157323.tif 000003
【図２】
2018157323.tif 000004
【図３】
2018157323.tif 000005
【図４】
2018157323.tif 000006
【図５】
2018157323.tif 000007
【図６】
2018157323.tif 000008
【図７】
2018157323.tif 000009
【図８】
2018157323.tif 000010
【図９】
2018157323.tif 000011
【図１０】
2018157323.tif 000012
【図１１】
2018157323.tif 000013
【図１２】
2018157323.tif 000014
【図１３】
2018157323.tif 000015
【図１４】
2018157323.tif 000016
【図１５】
2018157323.tif 000017
【図１６】
2018157323.tif 000018
【図１７】
2018157323.tif 000019